(57)【要約】【課題】キャリアリークを補正する精度を劣化させることなく、回路規模および消費電力を低減させる直交変調器のキャリアリーク調整装置およびキャリアリーク調整方法を提供する。【解決手段】まず、スイッチ２９を順に接点Ａ，Ｂに導通させ、ＩｃｈおよびＱｃｈのＤＣオフセット補正値を取得する。次に、接点Ｃを導通させ、取得したＤＣオフセット補正値から所定範囲の補正値候補の範囲の中からキャリアリークを最小とする補正値を探索する。【選択図】図１
2006041631.tif 000002
【特許請求の範囲】
【請求項１】
直交変調器の出力を検波する検波手段と、
前記直交変調器の入力信号のＤＣオフセットを補正するためのＤＣオフセット補正信号を特定するＤＣオフセット補正手段と、
前記ＤＣオフセット補正信号との信号レベル差が所定範囲内である複数の検査信号を特定し、前記直交変調器に対して前記の検査信号を順に与え、前記検波手段の出力結果をもってキャリアリーク量を逐次測定し、キャリアリーク量が最小となる検査信号をキャリアリーク補正信号として特定し、当該キャリアリーク補正信号により前記直交変調器のキャリアリークを調整するキャリアリーク調整手段と
を有する直交変調器のキャリアリーク調整装置。
【請求項２】
キャリアリーク補正信号をアナログ信号へ変換するためのＤ／Ａ変換手段を有し、
前記ＤＣオフセット補正手段により特定されたＤＣオフセット補正信号が、前記Ｄ／Ａ変換手段が生成可能なアナログ信号の信号範囲を越える場合には、
前記キャリアリーク調整手段は、キャリアリークの調整を行わない
請求項１記載の直交変調器のキャリアリーク調整装置。
【請求項３】
キャリアリーク補正信号をアナログ信号へ変換するためのＤ／Ａ変換手段を有し、
前記オフセット補正手段により特定されたＤＣオフセット補正信号が、前記Ｄ／Ａ変換手段が生成可能なアナログ信号の信号範囲を越える場合には、
前記ＤＣオフセット補正手段は、再度ＤＣオフセット補正信号を特定する
請求項１記載の直交変調器のキャリアリーク調整装置。
【請求項４】
前記キャリアリーク調整手段は、
特定したキャリアリーク補正信号が前記所定範囲を越える場合には、キャリアリークの調整を行わない
請求項１記載の直交変調器のキャリアリーク調整装置。
【請求項５】
前記キャリアリーク調整手段は、
特定したキャリアリーク補正信号が前記所定範囲外を越える場合には、前記ＤＣオフセット補正手段は、再度ＤＣオフセット補正信号を特定する
請求項１記載の直交変調器のキャリアリーク調整装置。
【請求項６】
前記ＤＣオフセット補正手段により特定されたＤＣオフセット補正信号が、前記Ｄ／Ａ変換手段が生成可能なアナログ信号の信号範囲を越える場合であって、
前記キャリアリーク調整手段が特定したキャリアリーク補正信号が前記所定範囲の境界より内側にある場合には、前記ＤＣオフセット補正信号により前記直交変調器のキャリアリークを調整する
請求項２記載の直交変調器のキャリアリーク調整装置。
【請求項７】
前記キャリアリーク調整手段は、
前記複数の検査信号の中から、レベル変化が当該検査信号の最小分解能となるように順次検査信号を選択して、前記直交変調器に与える
請求項１記載の直交変調器のキャリアリーク調整装置。
【請求項８】
前記キャリアリーク調整手段は、
キャリアリーク量が最小となる複数の検査信号が存在する場合には、当該複数の検査信号の略平均の信号をキャリアリーク補正信号として特定する
請求項１記載の直交変調器のキャリアリーク調整装置。
【請求項９】
直交変調器の入力信号のＤＣオフセットを補正するためのＤＣオフセット補正信号を特定するステップと、
前記ＤＣオフセット補正信号との信号レベル差が所定範囲内である複数の検査信号を特定するステップと、
前記直交変調器に対して前記の検査信号を順に与え、前記直交変調器の出力をもってキャリアリーク量を逐次測定するステップと、
キャリアリーク量が最小となる検査信号をキャリアリーク補正信号として特定するステップと、
当該キャリアリーク補正信号により前記直交変調器のキャリアリークを調整するステップと
を有する直交変調器のキャリアリーク調整方法。
【発明の詳細な説明】
【技術分野】
【０００１】
本発明は、デジタル方式の通信機等に用いられる直交変調器のキャリアリーク調整装置およびキャリアリーク調整方法に関するものである。
【背景技術】
【０００２】
移動体通信機器等のデジタル方式の通信機等では、直交変調器が頻繁に用いられるが、高い通信品質を確保する上で、キャリアリークを抑制することが重要な課題である。
そのため、キャリアリークを抑制するための様々な技術が開示されており、たとえば下記特許文献１に示すものがある。
【０００３】
一般に、キャリアリークは、Ｌ０（搬送波）のフィードスルーもしくは変調回路のトランジスタのミスマッチ、ＤＣバイアスのずれなどから生ずる。
たとえば、直交変調は、９０°の位相差を持つＬ０キャリア（搬送波）を必要とし、この９０°の位相差を持つＬ０キャリアを入力した同相チャンネルの入力信号（以下、Ｉｃｈ）と直交チャンネルの入力信号（以下、Ｑｃｈ）に乗算する処理を変調回路において行う。その乗算処理を行う回路では、理想的にはＬ０キャリアを抑圧するように作用するが、実際には、回路素子等の不均衡に起因して搬送波が漏れるフィードスルーが発生する。
また、ＩｃｈおよびＱｃｈのＤＣバイアスのずれが存在する場合でも、乗算処理において、Ｌ０キャリアを抑圧できないので、同様に搬送波が漏れる。
【０００４】
図７は、従来の一般的な送信機におけるキャリアリーク調整装置付き直交変調器の構成を示すブロック図である。
図７に示す直交変調器の基本的な動作は、次の通りである。
すなわち、Ｉｃｈ，ＱｃｈおよびＬ０の信号を入力し、乗算器２では、ＩｃｈとＬ０を乗算する。乗算器５では、Ｌ０と９０°位相差を持つ信号とＱｃｈを乗算する。乗算器２および乗算器５の乗算結果は、加算器６で合成されてＲＦ出力信号（ＲＦ  ＯＵＴ）が生成される。
【０００５】
図７に示す直交変調器のキャリアリークを打ち消すために、検波器（ＰＤ）７によりＲＦ出力信号を検波し、適切な補正信号を加算器１および４によりＩｃｈ，Ｑｃｈに加算する一連のフィードバック処理が形成される。
具体的には、Ｉｃｈ，Ｑｃｈが無信号状態において、以下の処理を行う。
すなわち、補正値に応じた複数のテストパターン（検査信号）が順に加算器１，４から入力され、Ａ／Ｄ変換器（ＡＤＣ）８は、検波器７で測定された電圧値（キャリアリーク量）をデジタル値に変換し、制御回路（ＣＴＲＬ）９に入力する。制御回路９は、そのデジタル値を用いて、キャリアリークが最小となる補正値を特定する。
算出された補正値は、Ｄ／Ａ変換器（ＤＡＣ）１０および１１によりアナログレベルの電圧もしくは電流（補正信号）に変換された上で、加算器１および４によりＩｃｈ，Ｑｃｈに加算される。これにより、キャリアリークが打ち消される。
【０００６】
制御回路９では、順に補正値のレベルを変化させてキャリアリークが最小となる補正値を探索する。従来、その探索方法としては、以下に説明する一次元探索法が知られている。
【０００７】
一次元検索法では、キャリアリークが検波出力との関係で１つの極小値をとることに着目し、補正値を少しずつ変化させ、その極小値を把握することにより補正値を特定する方法である。
図８は、一次元検索法の処理を示すフローチャートである。
なお、Ｉｔは、順次変化させるＩｃｈ用補正値（変数）を、Ｑｔは、順次変化させるＱｃｈ用補正値（変数）を、Ｌｍｉｎは、キャリアリークの最小値を、Ｍｅａｓ（Ｉｔ，Ｑｔ）は、Ｉｃｈ用およびＱｃｈ用補正値がそれぞれＩｔおよびＱｔである場合の検波器出力値を、Ｉｃｏｒは、特定されたＩｃｈ用補正値を、Ｑｃｏｒは、特定されたＱｃｈ用補正値を、それぞれ示す。
また、以下の説明では、変数として順次変化させるＩｔおよびＱｔを、特定される前の補正値という意味で、補正値候補と称する。
【０００８】
図９は、補正値ＩｔまたはＱｔと検波出力Ｍｅａｓ（Ｉｔ，Ｑｔ）との関係である。図９に示すように、補正値ＩｔまたはＱｔに対して、検波出力Ｍｅａｓ（Ｉｔ，Ｑｔ）は極小値（Ａ点）を有し、このＡ点で検波出力が最小となるとともに、キャリアリークが最小となる。
【０００９】
図８のフローチャートでは、ステップＳＴ１０〜ＳＴ１３がＩｃｏｒを特定する処理であり、ステップＳＴ１４〜ＳＴ１８がＱｃｏｒを特定する処理である。
たとえば、Ｉｃｏｒを特定する処理では、Ｑｔ＝０として固定し、Ｉｔを所定のレベルｄ１毎に変化させ、ステップＳＴ１２に示す条件が成立するＩｔのひとつ手前のＩｔ（ステップＳＴ１４）をＩｃｏｒとして特定する。すなわち、ステップＳＴ１２に示す条件は、Ｉｔの変化に対して検波出力が単調減少となっている限り成立せず、この条件が成立する時は、図９に示すＡ点（極小値）を越え、単調増加に転じた場合であるため、ステップＳＴ１２の条件が成立した場合には、キャリアリークが最小となる補正値が一つ手前に存在したと判断する。
Ｑｃｏｒを特定する処理は、Ｉｔ＝Ｉｃｏｒとして固定し、Ｑｔを所定のレベルｄ１毎に変化させて、同様な処理でＱｃｏｒを特定する。
【００１０】
【特許文献１】特開平５−１４４２９号公報
【発明の開示】
【発明が解決しようとする課題】
【００１１】
しかし、上記のような補正値探索方法を用いた場合には、下記に述べるような高い要求仕様を有する検波器を必要とする。
（１）Ｄ／Ａ変換器１０，１１が生成可能なアナログ信号の範囲内で、キャリアリークをノイズと区別して、また、歪むことなく検波しなければならないので、広範囲のダイナミックレンジを必要とする。
（２）上記探索方法では、各補正値候補Ｉｔ，Ｑｔにより測定されるキャリアリークの大きさを比較するので、精度の高い比較・判断を行うためにはキャリアリークに対する出力電圧の特性に対して、高い直線性の精度を必要とする。
【００１２】
要求仕様の検波器をＩＣ上に実現する場合、全体の回路規模および消費電力が大きく、また、高価となる。また、回路の温度や電圧, プロセスのばらつきの仕様も厳しくなるために、製品の歩留まりが落ちる。
【００１３】
本発明はかかる事情に鑑みてなされたものであり、その目的は、キャリアリークを補正する精度を劣化させることなく、回路規模および消費電力を低減させる直交変調器のキャリアリーク調整装置およびキャリアリーク調整方法を提供することにある。
【課題を解決するための手段】
【００１４】
上記目的を達成するための本発明の第１の観点は、直交変調器の出力を検波する検波手段と、前記直交変調器の入力信号のＤＣオフセットを補正するためのＤＣオフセット補正信号を特定するＤＣオフセット補正手段と、前記ＤＣオフセット補正信号との信号レベル差が所定範囲内である複数の検査信号を特定し、前記直交変調器に対して前記の検査信号を順に与え、前記検波手段の出力結果をもってキャリアリーク量を逐次測定し、キャリアリーク量が最小となる検査信号をキャリアリーク補正信号として特定し、当該キャリアリーク補正信号により前記直交変調器のキャリアリークを調整するキャリアリーク調整手段とを有する直交変調器のキャリアリーク調整装置である。
【００１５】
好適には、キャリアリーク補正信号をアナログ信号へ変換するためのＤ／Ａ変換手段を有し、前記ＤＣオフセット補正手段により特定されたＤＣオフセット補正信号が、前記Ｄ／Ａ変換手段が生成可能なアナログ信号の信号範囲を越える場合には、前記キャリアリーク調整手段は、キャリアリークの調整を行わない。
【００１６】
好適には、前記ＤＣオフセット補正手段により特定されたＤＣオフセット補正信号が、前記Ｄ／Ａ変換手段が生成可能なアナログ信号の信号範囲を越える場合であって、前記キャリアリーク調整手段が特定したキャリアリーク補正信号が前記所定範囲の境界より内側にある場合には、前記ＤＣオフセット補正信号により前記直交変調器のキャリアリークを調整する。
【００１７】
上記目的を達成するための本発明の第２の観点は、直交変調器の入力信号のＤＣオフセットを補正するためのＤＣオフセット補正信号を特定するステップと、前記ＤＣオフセット補正信号との信号レベル差が所定範囲内である複数の検査信号を特定するステップと、前記直交変調器に対して前記の検査信号を順に与え、前記直交変調器の出力をもってキャリアリーク量を逐次測定するステップと、キャリアリーク量が最小となる検査信号をキャリアリーク補正信号として特定するステップと、当該キャリアリーク補正信号により前記直交変調器のキャリアリークを調整するステップとを有する直交変調器のキャリアリーク調整方法である。
【００１８】
本発明に係るキャリアリーク調整装置の作用は、以下の通りである。
すなわち、ＤＣオフセット補正手段は、直交変調器の入力信号のＤＣオフセットを補正するためのＤＣオフセット補正信号を特定する。
キャリアリーク調整手段は、ＤＣオフセット補正信号との信号レベル差が所定範囲内である複数の検査信号を特定する。そして、直交変調器に対して前記の検査信号を順に与え、前記直交変調器の出力をもってキャリアリーク量を逐次測定する。その結果、キャリアリーク量が最小となる検査信号をキャリアリーク補正信号として特定する。
さらに、キャリアリーク調整手段は、キャリアリーク補正信号により前記直交変調器のキャリアリークを調整する。
【発明の効果】
【００１９】
本発明によれば、キャリアリークを補正する精度を劣化させることなく、回路規模および消費電力を低減する。
【発明を実施するための最良の形態】
【００２０】
第１の実施形態
以下、本発明の一実施形態について説明する。
図１は、本発明の一実施形態に係るキャリアリーク調整装置のブロック図である。
図１に示すように、本実施形態に係るキャリアリーク調整装置の構成は、図７に関連付けて説明した従来のキャリアリーク調整装置と比較して、スイッチ２９が付加された点と、制御回路の処理が改善されている点で異なる。
【００２１】
すなわち、図７の加算器１，４，６は図１の加算器２１，２２，２５に対応し、図７の乗算器２，５は図１の乗算器２３，２４に対応し、図７の検波器７は図１の検波器２８に対応し、図７のＡ／Ｄ変換器８は図１のＡ／Ｄ変換器３０に対応し、図７のＤ／Ａ変換器１０，１１は図１のＤ／Ａ変換器３２，３３に対応し、図７の制御回路９は図１の制御回路３１に対応する。
【００２２】
検波器２８は、本発明の検波手段の一実施形態である。スイッチ２９および制御回路３１は、本発明のオフセット補正手段の一実施形態である。制御回路３１は、本発明のキャリアリーク調整手段の一実施形態である。
【００２３】
スイッチ２９は、半導体スイッチ等により構成され、制御回路３１の指令に基づいて接点Ａ，Ｂ，Ｃのうち、いずれかの接点を導通させる。図１に示すように、接点Ａは直交変調器のＩｃｈラインに、接点Ｂは直交変調器のＱｃｈラインに、接点Ｃは検波器２８の出力端子に、それぞれ接続される。
【００２４】
以下、本実施形態に係るキャリアリーク調整装置のキャリアリークの調整方法について説明する。
本実施形態に係るキャリアリーク調整装置は、ＩｃｈおよびＱｃｈが無信号の状態かつＬ０を所望の周波数にロックさせた状態で、キャリアリークの調整（校正）を行う。すなわち、その状態で、補正値に応じた様々なテストパターン（検査信号）を加算器２１，２２に与え、検波器２８の出力からキャリアリーク量を測定する。そして、キャリアリーク量の測定値が最小となる補正値を特定する。Ｄ／Ａ変換器３２，３３を介し、加算器２１，２２に対して、この特定された補正値に応じた電気信号（キャリアリーク補正信号）を加算することによって、キャリアリークの調整が実現される。
なお、以下の説明では、上記の補正値を、後述するＤＣオフセット補正値と区別するためにキャリアリーク補正値と称することがある。
また、後述するＤＣオフセット補正信号はＤＣオフセット補正値と、キャリアリーク補正信号はキャリアリーク補正値と、それぞれ１対１で対応する。
【００２５】
本実施形態に係るキャリアリーク調整装置は、キャリアリーク補正信号（キャリアリーク補正値）を特定する前に、まずＩｃｈおよびＱｃｈのＤＣオフセット補正信号（ＤＣオフセット補正値）を算出し、このＤＣオフセット補正信号に基づいて、キャリアリーク補正信号のための補正値候補の範囲を限定する点に特徴がある。
【００２６】
キャリアリーク調整処理が開始されると、制御回路３１は、スイッチ２９に対して接点Ａを導通させるように制御する。そして、直交変調器のＩｃｈ入力のＤＣオフセットを測定し、Ａ／Ｄ変換器３０を介してデジタル値として取り込み、Ｉｃｈ用オフセット補正値を算出する。
次に、制御回路３１は、スイッチ２９に対して接点Ｂを導通させるように制御する。そして、直交変調器のＱｃｈ入力のＤＣオフセットを測定し、Ａ／Ｄ変換器３０を介してデジタル値として取り込み、Ｑｃｈ用オフセット補正値を算出する。
【００２７】
本実施形態に係るキャリアリーク調整装置は、上記した通りに求められたＩｃｈ用およびＱｃｈ用ＤＣオフセット補正値の値に応じて、キャリアリーク調整を行う前に、キャリアリークの調整を行うか否かをまず判断する。これにより、キャリアリークの調整の信頼性を向上させることができる。
【００２８】
以下、この点を添付図面に関連付けて具体的に説明する。
図２は、Ｉｃｈに対応するＤ／Ａ変換器３２のアナログ出力（ＩＤＡＣ  ｏｕｔ）が取りうる範囲と、Ｑｃｈに対応するＤ／Ａ変換器３３のアナログ出力（ＱＤＡＣ  ｏｕｔ）が取りうる範囲とを領域ＡＲＥＡ１として、ＸＹ平面上に表したものである。領域ＡＲＥＡ１内の各点の間隔は、Ｄ／Ａ変換器３２，３３のアナログ分解能に対応し、領域ＡＲＥＡ１内の各点によって特定されるアナログ値（ＩＤＡＣ  ｏｕｔおよびＱＤＡＣ  ｏｕｔ）を、加算器２１，２２に出力可能である。
【００２９】
算出したＩｃｈ用およびＱｃｈ用ＤＣオフセット補正値に対応する各ＤＣオフセット補正信号が図２に示す領域ＡＲＥＡ１の外周部分に存在する場合には、Ｉｃｈライン上およびＱｃｈライン上のノイズなどの影響により、特定されたオフセット補正信号が領域ＡＲＥＡ１を越えた領域となっている可能性が高い。したがって、そのオフセット補正値に基づいてさらにキャリアリークの調整を行ったとしても、領域ＡＲＥＡ１の内側の補正信号が特定される可能性は低い。
かかる場合に、制御回路３１は、キャリアリークの調整を中止するか、または、ＩｃｈおよびＱｃｈのＤＣオフセットの測定を再度行う。これにより、誤ったオフセット補正信号に基づいてキャリアリークの調整が行われることを未然に防止することができる。
【００３０】
なお、ＩｃｈおよびＱｃｈのＤＣオフセットの測定を再度行う場合には、再測定を行う回数に上限値を設け、その上限値に達した場合には、キャリアリークの調整を中止するように構成してもよい。
【００３１】
次に、算出したＩｃｈ用およびＱｃｈ用オフセット補正値に対応する各オフセット補正信号が図２に示す領域ＡＲＥＡ１の内側に存在する場合の処理について説明する。
かかる場合には、さらに、キャリアリークの調整のためのキャリアリーク補正信号を特定する。
なお、オフセット補正信号とキャリアリーク補正信号は、それぞれ独立した補正信号ではない。キャリアリーク補正信号は、キャリアリークの調整のために、オフセット補正信号を調整した、最終的なＤ／Ａ変換器３２，３３のアナログ出力信号である。
【００３２】
まず、制御回路３１は、Ｉｃｈ用およびＱｃｈ用ＤＣオフセット補正値に対応する補正値候補の範囲を特定する。この補正値候補は、図８を参照して述べたキャリアリークの調整のための補正値候補（Ｉｔ，Ｑｔ）である。
図３に、制御回路３１により特定された補正値候補の範囲の一例を示す。
図３に示す例では、Ｉｃｈ用およびＱｃｈ用オフセット補正値を示す点Ｐ＿ｏｆｓｔを中心として、所定範囲内の領域ＡＲＥＡ２を補正値候補の範囲として特定している。
【００３３】
制御回路３１は、たとえば、図３に示す領域ＡＲＥＡ２の補正値候補に対してのみ、図８を参照して述べたような補正値探索アルゴリズムを実行する。
【００３４】
本実施形態に係るキャリアリーク調整装置によれば、信号レベルが限定された範囲内でのみキャリアリーク測定を行うことになるため、検波器２８が要するダイナミックレンジを減少させることができる。
また、キャリアリーク測定を行う際の補正値候補の数が大幅に低減されるので、従来のキャリアリーク調整装置のように逐次隣り合う補正値候補に応じたキャリアリーク測定結果を比較せず、すべての補正値候補によるキャリアリーク測定を行ったとしても処理の負荷が軽く済む。すなわち、比較処理を行わないように構成すれば、検波器２８の直線性の仕様を緩和させることができる。
【００３５】
ところで、補正値探索の結果、図３に示す領域ＡＲＥＡ２の外周上の補正値（キャリアリーク補正信号）が特定された場合には、領域ＡＲＥＡ２の外側にキャリアリークが最小となる補正値が存在する可能性が高い。かかる場合には、ＤＣオフセット補正が失敗した可能性が高い。
したがって、この場合は、キャリアリークの調整（キャリブレーション）を中止するか、または、ＩｃｈおよびＱｃｈのＤＣオフセットの測定を再度行う。これにより、誤ったオフセット補正信号に基づいてキャリアリークの調整が行われることを未然に防止することができる。
なお、ＩｃｈおよびＱｃｈのＤＣオフセットの測定を再度行う場合には、再測定を行う回数に上限値を設け、その上限値に達した場合には、キャリアリークの調整を中止するように構成してもよい。
【００３６】
図９に示したように、理想的には、キャリアリークを最小とする補正値候補は１つ（Ｉｔ，Ｑｔに対してそれぞれ１つ）特定されるが、実際には、ノイズ等の影響によりキャリアリークを最小にする補正値候補（テストパターン）が複数存在する場合が考えられる。かかる場合には、それらの複数の補正値候補の中心に一番近い値をキャリアリーク補正値として特定する方法が、ノイズの影響を最低限に抑制する観点から有効である。
図４は、補正値候補が複数存在する場合のキャリアリーク補正値の特定方法を図解した図である。図４では、キャリアリークを最小とする補正値候補が４点（Ａ，Ｂ，Ｃ，Ｄ）探索された後、それらの中心である点Ｐ＿ｃａｌがキャリアリーク補正値として特定される。
【００３７】
第２の実施形態
第１の実施形態に係るキャリアリーク調整装置では、ＩｃｈおよびＱｃｈのオフセット補正量を算出し、その値がアナログ出力可能な範囲（図２の領域ＡＲＥＡ１）の外周上にある場合には、その後にキャリアリーク補正値を算出しないようにした。
しかし、オフセット補正量が領域ＡＲＥＡ１の外周上にある場合であっても、その後の補正値探索によって領域ＡＲＥＡ１内にキャリアリーク補正値が特定された場合には、そのキャリアリーク補正値は正しく特定されている可能性が高い。したがって、かかる場合には、特定されたキャリアリーク補正値を有効なものとして、キャリアリークの調整を行うようにしてもよい。
【００３８】
図５は、本実施形態に係るキャリアリーク調整装置の処理を図解した一例である。
図５では、ＤＣオフセットの測定によって領域ＡＲＥＡ１の外周上にある点Ａがオフセット補正量として特定され、その後、領域ＡＲＥＡ３内で補正値探索を行った場合に、領域ＡＲＥＡ１の内側に点Ｂにシフトした場合を例示する。この場合には、点Ｂをキャリアリーク補正値として有効なものとして処理する。
これにより、第１の実施形態に係るキャリアリーク調整装置と比較して、本来有効であるキャリアリーク補正量を確実に探索することができる。
【００３９】
第３の実施形態
以下、第３の実施形態に係るキャリアリーク調整装置について説明する。
本実施形態に係るキャリアリーク調整装置は、キャリアリークの調整時間を短縮する点に特徴がある。具体的には、図３に示した領域ＡＲＥＡ２のように補正値候補のための範囲が特定された場合に、各補正値候補に対して行うキャリアリークの測定の順序について特徴がある。
【００４０】
一般に、Ｄ／Ａ変換器３２，３３および検波器２８の過渡特性を考慮すると、キャリアリークを測定する際の新たなテストパターン（補正値に応じた検査信号）が、その前に測定したときのテストパターンと近い信号レベルである場合には、測定結果の収束も早いので、より早く新たなテストパターンに移行させることができる。
したがって、各テストパターン間の信号レベルの差、すなわち、補正値候補に対するアナログ出力のレベル差が最小となるように、補正値候補を選択してキャリアリークを測定すれば、全体としてキャリアリーク補正値を特定する（キャリブレーション）時間を短縮させることができる。
【００４１】
図６は、補正値候補に対するアナログ出力のレベル差が最小となるように、補正値候補を選択する順序を矢印で図解したものであり、（ａ）〜（ｄ）は、それぞれ選択順序の一例である。なお、図６は、図３の領域ＡＲＥＡ２が補正値候補の範囲として特定された場合の例である。
図６（ａ）〜（ｄ）に示すような選択順序に従ってキャリアリークを測定すれば、キャリブレーションに要する時間を短縮させることができる。
【図面の簡単な説明】
【００４２】
【図１】本発明の一実施形態に係るキャリアリーク調整装置のブロック図である。
【図２】Ｄ／Ａ変換器のアナログ出力が取りうる範囲を図解した図である。
【図３】制御回路により特定された補正値候補の範囲の一例を示す図である。
【図４】補正値候補が複数存在する場合のキャリアリーク補正値の特定方法を図解した図である。
【図５】本実施形態に係るキャリアリーク調整装置の処理を図解した一例である。
【図６】補正値候補に対するアナログ出力のレベル差が最小となるように、補正値候補を選択する順序を矢印で図解した図である。
【図７】従来の一般的な送信機におけるキャリアリーク調整装置付き直交変調器の構成を示すブロック図である。
【図８】従来の補正値探索アルゴリズムである一次元検索法の処理を示すフローチャートである。
【図９】補正値と検波出力との関係を示す図である。
【符号の説明】
【００４３】
１，４，６，２１，２２，２５…加算器、２，５，２３，２４…乗算器、３，２６…位相変換器、７，２８…検波器、８，３０…Ａ／Ｄ変換器、９，３１…制御回路、１０，１１，３２，３３…Ｄ／Ａ変換器、２７…Ｌ０キャリア生成器、２９…スイッチ
【図１】
2006041631.tif 000003
【図２】
2006041631.tif 000004
【図３】
2006041631.tif 000005
【図４】
2006041631.tif 000006
【図５】
2006041631.tif 000007
【図６】
2006041631.tif 000008
【図７】
2006041631.tif 000009
【図８】
2006041631.tif 000010
【図９】
2006041631.tif 000011